(57)【特許請求の範囲】
【請求項１】
防水シート本体（１）は、防水性の布で長方形でありベッドや敷き布団の上に載せて
日常は使用し、底面から見て上方に、頭を支える板状の布（３）を中央部に設け、更
にその左右対称に手を入れて握る穴上部左（４）と、上部右（４−１）を設け、一番
外側に紐を通す柔らかい合成樹脂のパイプ（６）を左右に設け、更に縦左側上方下方、
縦右側上方下方にそれぞれ２個以上の複数個の柔らかい合成樹脂のパイプ（６）を設
け、また下方には、最下部の柔らかい合成樹脂のパイプ（６）の内側に、移動させる
時の手を入れる穴左（４−２）、移動させる時の手を入れる上部穴右（４−３）を左
右にそれぞれ設け、上部頭を支える板状の布（３）の左右と、上部柔らかい合成樹脂
のパイプ（６）のそれぞれ内側の防水シートに金属製の輪（７）を設け、また左側の
下方に２箇所、右側の下方に２箇所の金属製の輪（７）を設け、前記の金属製の輪（７）
から紐（２）を通し、前記の柔らかい合成樹脂のパイプ（６）の中を通し、長方形の
防水シート（１）に一周させ、また防水シート（１）の中央付近に縦状に３本以上の
複数本の滑材（５）を設けたことを特徴とする緊急時に患者を安全な場所へ移動させ
る事が出来る防水シート。
【発明の詳細な説明】
【技術分野】
【０００１】
緊急時に、一人で患者を引っ張って避難させられることが出来る防水シートに関する。
【背景技術】
【０００２】
従来、避難時に、一人で引っ張って避難させられる防水シートは、見あたらない。
特許文献１の特開平１０−２４８９５０号公報（身体防護シート及び収納カバーから構成される防災用具と身体防護方法）に記載があるが、構造の違いが大きい。
【先行技術文献】
【特許文献】
【０００３】
【特許文献１】特開平１０−２４８９５０号公報
【発明の概要】
【発明が解決しようとする課題】
【０００４】
従来、何処の家庭でも、介護施設等に於いても緊急避難時に、救助する人が常に待機している事はまれであり、万全な体制は取っていない。
従って、一人で一人の患者を安全な場所へ移動させなければならない。
特に女性が一人で一人の患者を安全な場所へ移動させなければならないのが一般的であり、前記の場合実際に災害が発生したら多くの尊い命を犠牲にする可能性がある。
これは、解決しなければならない課題である。
【課題を解決するための手段】
【０００５】
課題を解決するために本発明は，以下の構成とした。
防水シート本体（１）は、防水出来る素材を使用し、長方形にして、日常はベッド
や敷き布団の上に載せて使用する。
底面から見て（図２、図３）上方に、頭を支える板状の布（３）を中央部に設け、更
にその左右対称に手を入れて握る穴を上部左（４）と、上部右（４−１）を設けた。
一番外側に紐を通す柔らかい合成樹脂のパイプ（６）を左右に設け、縦左側上方下方、
縦右側上方下方にもそれぞれ２個以上の複数個の柔らかい合成樹脂のパイプ（６）を
設けた。
またその下方には、最下部の柔らかい合成樹脂のパイプ（６）の内側に、移動させる
時の手を入れる穴左（４−２）、移動させる時の手を入れる穴右（４−３）を左右に
それぞれ設けた。
【０００６】
上部頭を支える板状の布（３）の左右と、上部柔らかい合成樹脂のパイプ（６）のそ
れぞれ内側の防水シートに金属製の輪（７）を設け、また左側の下方に２箇所、右
側の下方に２箇所の金属製の輪（７）を設け、その金属製の輪（７）から紐（２）
を、長方形の防水シート（１）の一周に入れた。
また、防水シート（１）の中央付近に縦状に３本以上の複数本の薄い合成樹脂製
滑材（５）を設けた。
それぞれ設けた。
【０００７】
使用方法について説明する。
日常は、平面図（１）に記載の通り、頭を支える板状の布（３）の方に頭を載せてシーツとして使用する。
緊急避難時には、救助する人が図４のように紐（２）を引っ張り患者の足を中に入れるようにして、移動させる時の手を入れる上部穴左（４）と（４−１）に手を入れて頭側の方から引っ張ると、滑材（５）を設けているため滑り易く移動がスムーズにできる。
【発明の効果】
【０００８】
（１）救助する人が男性一名でも女性一名でも、一人の患者を避難させる事が出来るので、安心して介護が出来る。
（２）二人で一人の患者を避難させる場合は、患者の左右に救助する人が立ち、重量的な面でかかる負担が軽減される。
【図面の簡単な説明】
【０００９】
【図１】防水シート平面図
【図２】防水シート底面図
【図３】防水シート平面から見た内部説明図
【図４】一人で一人を引っ張って避難させる防水シートの説明図
【図５】二人で一人を引っ張って避難させる防水シートの説明図
【発明を実施するための形態】
【００１０】
防水シート本体（１）は、防水性の素材で長方形であり、ベッドや敷き布団の上に
載せて日常は使用する。
底面から見て（図２）上方に、頭を支える板状の布（３）を中央部に設け、更に
その左右対称に手を入れて握る穴上部左（４）と、上部右（４−１）を設けた。
一番外側に紐を通す柔らかい合成樹脂のパイプ（６）を左右に設け、更に縦左側上方
下方、縦右側上方下方、にもそれぞれ２個以上の複数個の柔らかい合成樹脂のバイプ
（６）を設けた。
また下方には、最下部の柔らかい合成樹脂のパイプ（６）の内側に、移動させる時の
手を入れる穴左（４−２）、移動させる時の手を入れる穴右（４−３）を左右にそれ
ぞれ設けた。
【００１１】
上部頭を支える板状の布（３）の左右と、上部柔らかい合成樹脂のパイプ（６）の
それぞれ内側の防水シートに金属製の輪（７）を設け、また左側面の下方に２箇所、
右側面の下方に２箇所の金属製の輪（７）を設け、その金属製の輪（７）から紐（２）
を、長方形の防水シート（１）の一周に入れた。
また、防水シート（１）の中央付近に縦上に３本以上の複数本の滑材（５）を設けた。
また、底面図から見て紐（２）、頭を支える板状の（３）、移動させる時の手を入れる
上部穴、柔らかい合成樹脂のパイプ（６）、金属製の輪（７）を設置したあとは、図
２のように糸で縫い合わせたものである。
【００１２】
使用方法について説明する。
日常は、平面図（１）に記載の通り、頭を支える板状の布（３）の方に頭を載せてシーツとして使用する。
緊急避難時には、救助する人が図３のように紐（２）を引っ張り患者の頭側の方から足を中に入れるようにして、移動させる時の手を入れる上部穴左（４）と、移動させる時の手を入れる上部穴右（４−１）に手を入れて引っ張ると、滑材（５）を設けているため滑り易く移動がスムーズにできる。
また、救助する人が２名いる場合は、図４のように患者の左右からそれぞれの移動させる時の手を入れる上部穴から手を入れて持ち上げても、引っ張っても一人の救助人より二人の救助人の方が重量的負担は軽減されるので移動が容易にできる。
【符号の説明】
【００１３】
１．    防水シート本体    
２．    紐
３．    頭を支える板状の布
４．    移動させる時の手を入れる上部穴（左）
４−１．移動させる時の手を入れる上部穴（右）
４−２．移動させる時の手を入れる下部穴（左）
４−３．移動させる時の手を入れる下部穴（右）
５．    滑材
６．    柔らかい合成樹脂のパイプ
７．    金属製の輪
８．    縫い目
９．    救助する人
１０．    患者
【要約】
【課題】  
従来、何処の家庭でも、介護施設等に於いても緊急避難時に、救助する人が常に待機
している事はまれであり、万全な体制は取っていない。
従って、一人で一人の患者を安全な場所へ移動させなければならない。
緊急時に患者を安全な場所へ移動させる事が出来る防水シートを提供する。
【解決手段】
防水シート本体は、防水性の素材で長方形でありベッドや敷き布団の上に載せて日
常は使用する。
底面から見て上方に、頭を支える板状の布を中央部に設け、更にその左右対称に手
を入れて握る穴上部左と、上部右を設けた。
一番外側に紐を通す柔らかい合成樹脂のパイプを左右に設け、更に左側、右側にも
それぞれ２個以上の複数個の柔らかい合成樹脂のバイプを設けた。
また下方には、最下部の柔らかい合成樹脂のパイプ（６）の内側に、移動させる時の
手を入れる穴を左右にそれぞれ設けたことを特徴とする。
【選択図】図３【図１】
0005926436.tif 000002
【図２】
0005926436.tif 000003
【図３】
0005926436.tif 000004
【図４】
0005926436.tif 000005
【図５】
0005926436.tif 000006